(57)【要約】【課題】変電所等の用地内に埋設されたメッシュ接地用電極が工事での掘削等によって切断されたとしても、この切断された各接地線が同方向の接地線同士で接続されるために、縦接地線と横接地線とが外観の目視のみによって容易に区別することを可能とするメッシュ接地用電極を提供する。【解決手段】本発明に係るメッシュ接地用電極は、縦接地線と横接地線とを格子状に配置するメッシュ接地用電極であって、前記縦接地線と前記横接地線との外観が差異を有することを特徴とする。【選択図】図１
2007200807.tif 000002
【特許請求の範囲】
【請求項１】
縦接地線と横接地線とを格子状に配置するメッシュ接地用電極であって、前記縦接地線と前記横接地線との外観が差異を有することを特徴とするメッシュ接地用電極。
【請求項２】
前記差異は、径の大きさであることを特徴とする請求項１記載のメッシュ接地用電極。
【請求項３】
前記差異は、断面形状であることを特徴とする請求項１又は２記載のメッシュ接地用電極。
【請求項４】
前記縦接地線及び前記横接地線が共により線から構成され、前記差異は、より線を構成するストランド及び／又は単線の本数であることを特徴とする請求項１乃至３の何れか一項に記載のメッシュ接地用電極。
【請求項５】
前記差異は、前記より線のより合わせ方であることを特徴とする請求項４記載のメッシュ接地用電極。
【請求項６】
前記差異は、表面に設けられた模様であることを特徴とする請求項１乃至６の何れか一項に記載のメッシュ接地用電極。
【発明の詳細な説明】
【技術分野】
【０００１】
本発明は、各種電気設備内の電気機器を電気的に接地するのに用いられるメッシュ接地用電極に関する。
【背景技術】
【０００２】
図３に示す如く、大きな電力を扱う変電所等で雷撃１１や地絡（漏電）事故などが発生すると、地中に雷撃電流や地絡電流といった大電流が流れることになる。この時、地中には電気抵抗があるため接地点で電圧が誘起され（誘起電圧１２）、接地点から離れるに従って電圧１３は低くなる。
【０００３】
保安上、前記変電所等の用地内に設置された各種の電気設備内の電気機器は、それぞれ接地（アース）している。しかし、一つの電気機器１４の接地点１５付近で雷撃や地絡事故があった場合、電気的に接続された他の電気機器１６が離れた場所１７に設置され且つその場所１７でアースされていたとすると、電気機器のアース間には電位差が生じ、該電位差によって電気機器間に異常電圧１８が発生して電気機器が破壊されることがある。
【０００４】
そこで、従来から変電所等の接地としては、縦接地線と横接地線とを格子状に配置した電極を用地内のほぼ全域に埋設し、この用地内に設置した電気設備内の電気機器を前記電極へアースするメッシュ接地が提供されていた。
【０００５】
このメッシュ接地を行うことで、変電所等の用地内で雷撃や地絡事故が発生したとしても、電流は電気抵抗を有する地中ではなく、導体で形成されている前記電極（メッシュ接地用電極）中を流れるため、変電所用地内は全て同電位となり、電気的に接続された電気機器のアースが用地内、即ちメッシュ接地用電極を埋設した敷地範囲内であれば、離れた場所でアースされていたとしても同電位となるため、電気機器の異常電圧による破壊を防ぐことができる。
【発明の開示】
【発明が解決しようとする課題】
【０００６】
ところで、前記メッシュ接地用電極が用地内に埋設された変電所では、たびたび、電気設備の更新又は増設のための工事が行われる。この工事は、基礎工事から行うため、油圧ショベル等の建設機械で地面を掘削する。その際、前記メッシュ接地用電極の縦接地線及び／又は横接地線が切断されることがある。
【０００７】
この時、再度切断された接地線を同方向の接地線同士、即ち、縦接地線同士及び横接地線同士を接続して元の格子状にしなければならない。
【０００８】
しかし、メッシュ接地用電極を埋設する際に格子が変形していたり、油圧ショベル等の建設機械で地面を掘削する際に引きちぎられることから、地中より露出している接地線の切断部位端部の位置や方向が不規則に露出している。そのため、切断部位端部の位置や方向だけでは縦接地線と横接地線とを区別することは難しい。
【０００９】
さらに、従来のメッシュ接地用電極の縦接地線と横接地線とは同種の接地線を使用していることから、縦接地線と横接地線とを目視によって区別することは極めて難しい。
【００１０】
このような理由から、従来では図４に示す如く、誤って縦接地線と横接地線とを接続してしまうことがあった。この場合、メッシュ接地用電極埋設用地内の電位を同一に保つ効果（メッシュ効果）が低下することになる。即ち、縦接地線と横接地線とが格子状に接続されていないと、メッシュ接地用電極の導体抵抗が不平衡になり、その全体抵抗により発生する用地内接地系の電位上昇が不平衡になり、その電位上昇の不平衡に起因する電位差によって、異常電圧が発生して電気機器が破壊されるという問題があった。
【００１１】
そこで、本発明は、用地内における地面の掘削等によって切断されたメッシュ接地用電極の各接地線が同方向の接地線同士で接続されるために、縦接地線と横接地線とが外観を目視することのみによって容易に区別することを可能とするメッシュ接地用電極を提供することを課題とする。
【課題を解決するための手段】
【００１２】
上記課題を解決すべく、本発明に係るメッシュ接地用電極は、縦接地線と横接地線とを格子状に配置するメッシュ接地用電極であって、前記縦接地線と前記横接地線との外観が差異を有することを特徴とする。
【００１３】
上記構成のメッシュ接地用電極によれば、外観が差異を有するので目視しただけで縦接地線と横接地線とを区別することができる。即ち、油圧ショベル等での地面の掘削によって引きちぎられ、地中から露出している接地線の切断部位端部の位置や方向が不規則であったとしても、特殊な機械や器具を使用することなく切断部位端部を目視するだけで容易に区別することができる。
【００１４】
また、本発明の一態様として、前記差異は、径の大きさである構成を採用することができる。
【００１５】
上記構成によれば、目視だけからではなく、接地線に触ることによっても縦接地線と横接地線とを容易に区別することができる。例えば、夜間の作業において、十分な照明を得られない場合でも、切断部位端部に触れることによって容易に区別することができる。従って、目視及び触れることによって切断された接地線の同方向同士をより確実に区別することができるため同士を容易に接続することができ、メッシュ接地用電極の格子状の配置を維持することができる。
【００１６】
その結果、雷撃や地絡の際に、メッシュ接地用電極を埋設している用地内全域は同電位を保つことができ、電気設備内の電気機器が異常電圧により破壊されるのを防ぐことができる。
【００１７】
また、本発明の一態様として、前記差異は、断面形状である構成を採用してもよい。このような構成とすることで、前記同様、目視だけからではなく、触ることによっても縦接地線と横接地線とを容易に区別することができる。
【００１８】
さらに、本発明の一態様として、前記縦接地線及び前記横接地線が共により線から構成され、前記差異は、より線を構成するストランド及び／又は単線の本数である構成を採用してもよく、また前記差異は、前記より線のより合わせ方である構成を採用してもよい。尚、ストランドとは、より線（ワイヤーロープやケーブル類）を構成する子縄であり、複数の素線をより合わせた束のことをいう。
【００１９】
上記構成によれば、前記同様、目視だけで区別することができる。さらに、より線は、一本の単線よりも引張強度が強く、柔軟性に富むことから、メッシュ接地用電極の強度が向上し、且つ埋設作業等が行い易くなるため作業労力を削減することができる。尚、本発明において、より線は、該より線を構成するストランド又は単線が１本で構成されるものも含む概念である。
【００２０】
また、前記差異は、表面に設けられた模様である構成を採用してもよい。これら差異によっても、外観を目視しただけで縦接地線と横接地線とを容易に区別することができる。尚、表面に設けられた模様には、ライン、印、記号等を印刷、刻設、貼着等することで形成されたものが含まれる。
【発明の効果】
【００２１】
以上のように、本発明に係るメッシュ接地用電極によれば、メッシュ接地用電極が埋設された変電所用地内の電気設備の増設や更新のために地面を掘削し、その際、メッシュ接地用電極を構成している接地線を切断したとしても、外観を目視するだけで縦接地線と横接地線とを区別することができるため、地中からわずかに露出している切断部位端部を目視しただけで縦接地線と横接地線とが区別でき、簡単且つ確実に同方向同士の接地線を接続することが可能となる。
【発明を実施するための最良の形態】
【００２２】
以下、本発明に係るメッシュ接地用電極（以下、単に「電極」という。）の一実施形態について図面１及び２に基づいて説明する。
【００２３】
図１に示す如く、本実施形態に係る電極１は、格子状に配置された縦接地線２，２，…と横接地線３，３，…とから構成されている。
【００２４】
縦接地線２，２，…と横接地線３，３，…とは、同一方向の接地線同士は平行で且つその間隔は等間隔の格子状に配置されている。また、縦接地線同士の間隔と横接地線同士の間隔とは同一となるように配置されており、本実施形態においては５ｍである。従って、格子のマス目が正方形である碁盤の目状となる。
【００２５】
そして、両接地線（縦接地線２及び横接地線３）の各交点４，４，…は、連通されている。また、両接地線の径、即ち両接地線の長手方向に対して垂直方向の断面における径の大きさがそれぞれ異なっている。このことによって、外観を目視しただけで両接地線を容易に区別することができる。本実施形態の場合、縦接地線２，２，…の断面における径の大きさを横接地線３，３，…の断面における径の大きさよりも大きく形成している。
【００２６】
両接地線は、導体（本実施形態では、硬銅）で形成された電線で構成されている。また、この電線は、絶縁物での被覆はなされていない。尚、各接地線は、単線であってもよく、より線であってもよい。このより線とは、ストラッド（子縄）及び／又は単線をより合わせて形成したものである。そして、より線で構成される場合には、材質は全て同一のストラッド及び／又は単線をより合わせたものであってもよく、異なる材質のでもよい。また、縦横の各接地線同士は、同一材質であってもよく、異なる材質であってもよい。
【００２７】
次に、この電極１の使用方法を説明すると、図２に示す如く、電極１は、その格子状に形成される面が地面と平行になるように埋設される。その際、電極の周縁が、即ち、一番外側の縦接地線２，２と横接地線３，３とから形成される矩形が変電所の用地における境界（外柵）５から内側（敷地内）に位置するように埋設する。本実施形態においては、境界５から２ｍ（図２中の７）の位置になるように埋設する。そして、電極１の電極周縁部６（本実施例においては、周縁から内側３ｍ迄の部分）は、外側に向かって下方に傾斜するよう埋設される。即ち、周縁部６を除いて、電極１は地面から一定距離の深さに位置するように埋設され、周縁部６は、内側から外側に向かって前記一定深さから徐々に地面からの距離が大きくなるように（深くなるように）埋設される。
【００２８】
そして、このように埋設された電極１に、用地内に設置された電気機器を導体で形成された電線等を介して接地する。この時、用地の境界である外柵５のアースは、電極１に接続するのではなく単独で接地する。
【００２９】
このようにすることで、本実施形態に係るメッシュ接地用電極を埋設した用地内で電気機器を設置するための基礎工事を行った際に、建設機器によって掘削していて埋設したメッシュ接地用電極の一部を引きちぎってしまったとしても、露出している接地線の切断部端部を見ただけで縦接地線２か横接地線３かを判断することができる。その結果、切断された接地線を接続する際に、縦接地線２と横接地線３とを誤って接続してしまうことを防止することができるようになる。
【００３０】
尚、本発明は、上記実施形態に限定されるものではなく、本発明の要旨を逸脱しない範囲での種々の変更は可能である。
【００３１】
例えば、縦接地線２と横接地線３とは、ワイヤー等の柔軟性のある線状部材で構成される必要はなく、導電性を有する部材であれば鉄筋等の棒状部材で構成されても良く、板状部材で構成されても良い。また、縦接地線２と横接地線３とは、一方が線状部材で他方が板状部材のように異なる種類の部材で構成されても良い。
【図面の簡単な説明】
【００３２】
【図１】本発明の一実施形態に係るメッシュ接地用電極の正面図を示す。
【図２】同実施形態に係るメッシュ接地用電極の設置例を示す。
【図３】雷撃時の誘起電圧、地中での電圧変化、及び接地（アース）間異常電圧を示す。
【図４】切断されたメッシュ接地用電極の縦接続線と横接続線とを誤って再接続した状態の正面図を示す。
【符号の説明】
【００３３】
１…メッシュ接地用電極、２…縦接地線、３…横接地線、４…縦接地線と横接地線との交点、５…用地の境界（用地の外柵）
【図１】
2007200807.tif 000003
【図２】
2007200807.tif 000004
【図３】
2007200807.tif 000005
【図４】
2007200807.tif 000006